(57)【要約】【課題】  貯湯タンクが床下に設置されるものにおいて、寒冷時の凍結を防止可能とする給湯装置を提供する。【解決手段】  貯湯タンク１１０が床下に設置される給湯装置において、給湯部が使用されていない時で、且つ、温度検出手段１７１によって検出される給湯水の温度が、予め定めた所定温度より低い時に、切替え手段１５１、１５２をバイパス管１４０側に切替え、混合弁１１６の弁開度を調節して、給水管１１５を介して、導入管１１２と導出管１１４との間を連通状態にすると共に、ポンプ１６０を作動させて、バイパス回路１４０ａ（導入管１１２、バイパス管１４０、導出管１１４、給水管１１５）内で給湯水を循環させる。【選択図】    図１
2005147557.tif 000002
【特許請求の範囲】
【請求項１】
導入管（１１２）から内部に導入される給湯水が外部の加熱手段（１２０）によって高温の湯に加熱され、この高温の湯を内部に貯える貯湯タンク（１１０）と、
前記貯湯タンク（１１０）内の高温の湯を給湯部に導出する導出管（１１４）と、
前記給湯部側で前記導入管（１１２）および前記導出管（１１４）の間を連通可能とする連通手段（１１５、１１６、１９０、１６０）と、
前記加熱手段（１２０）、前記連通手段（１１５、１１６、１９０、１６０）を制御する制御装置（１３０）とを有する給湯装置において、
前記貯湯タンク（１１０）は、横長形状を成して建物の床下に設置されるものであり、
前記導入管（１１２）および前記導出管（１１４）の間で、前記貯湯タンク（１１０）をバイパスするバイパス管（１４０）と、
前記導入管（１１２）からの前記給湯水の流れを前記貯湯タンク（１１０）側あるいは前記バイパス管（１４０）側のいずれかに切替える切替え手段（１５１、１５２）と、
前記導入管（１１２）、前記バイパス管（１４０）、前記導出管（１１４）、前記連通手段（１１５、１１６、１９０、１６０）によって環状に形成されるバイパス回路（１４０ａ）内に配設されるポンプ（１６０）と、
前記給湯水の温度を検出する温度検出手段（１７１）とを設け、
前記制御装置（１３０）は、前記給湯部が使用されていない時で、且つ、前記温度検出手段（１７１）によって検出される前記給湯水の温度が、予め定めた所定温度より低い時に、前記切替え手段（１５１、１５２）を前記バイパス管（１４０）側に切替え、前記連通手段（１１５、１１６、１９０、１６０）を連通状態にすると共に、前記ポンプ（１６０）を作動させて、前記バイパス回路（１４０ａ）内で前記給湯水を循環させるバイパス回路循環モードを実行することを特徴とする給湯装置。
【請求項２】
前記連通手段（１１５、１１６、１９０、１６０）は、前記導入管（１１２）から分岐して前記導出管（１１４）に接続される給水管（１１５）と、前記導出管（１１４）および前記給水管（１１５）の接続部に設けられ、前記高温の湯および前記給湯水の混合割合を調節する混合弁（１１６）とから成り、
前記制御装置（１３０）は、前記バイパス回路循環モード実行時に、前記混合弁（１１６）の弁開度を調節することで、前記給水管（１１５）を介して前記導入管（１１２）および前記導出管（１１４）の間を連通状態とすることを特徴とする請求項１に記載の給湯装置。
【請求項３】
前記制御装置（１３０）は、前記バイパス回路循環モード実行時に、前記導出管（１１４）と前記給水管（１１５）との間の通水抵抗が最小となるように前記混合弁（１１６）の弁開度を調節することを特徴とする請求項２に記載の給湯装置。
【請求項４】
前記給湯部は浴槽（１８０）に給湯するものであり、
前記導入管（１１２）から分岐して前記導出管（１１４）に接続される給水管（１１５）をバイパスする給水バイパス管（１９０）と、
前記給水バイパス管（１９０）に設けられ、前記高温の湯と前記浴槽（１８０）内の残湯との間で熱交換して、前記残湯を加熱する熱交換器（２００）とを有し、
前記ポンプ（１６０）は、前記給水バイパス管（１９０）に配設され、
前記連通手段（１１５、１１６、１９０、１６０）は、前記給水バイパス管（１９０）と前記ポンプ（１６０）とから成ることを特徴とする請求項１に記載の給湯装置。
【請求項５】
前記加熱手段（１２０）は、高温高圧に圧縮された冷媒からの放熱作用を用いたヒートポンプユニット（１２０）としたことを特徴とする請求項１〜請求項４のいずれかに記載の給湯装置。
【請求項６】
前記冷媒は、二酸化炭素としたことを特徴とする請求項５に記載の給湯装置。
【発明の詳細な説明】
【技術分野】
【０００１】
本発明は、高温の湯を貯める貯湯タンクが建物の床下に配置される給湯装置に関するものである。
【背景技術】
【０００２】
従来の給湯装置として、例えば特許文献１に示されるものが知られている。即ち、この給湯装置は、主に制御装置と加熱装置と貯湯タンクとを有しており、制御装置によって加熱装置の作動が制御され、加熱装置は給湯水から湯を沸かし、この湯が貯湯タンクに貯められるようにしている。そして、加熱装置、制御装置が設置される場所とは異なる場所、例えば建物の床下等に貯湯タンクを設置し、貯湯タンクの形状を設置場所に適合する形状にしている。
【０００３】
これにより、貯湯タンクが人の邪魔になることが無く、設置場所の範囲を拡大できるようにしている。
【特許文献１】実開平７−１８１５７号公報
【発明の開示】
【発明が解決しようとする課題】
【０００４】
しかしながら、貯湯タンクを床下等の特別な場所に設置する分、貯湯タンクから屋内の給湯部に至る配管部が長くなり、この配管部での寒冷時における凍結の可能性が増加すると言う問題があった。
【０００５】
本発明の目的は、上記問題に鑑み、貯湯タンクが床下に設置されるものにおいて、寒冷時の凍結を防止可能とする給湯装置を提供することにある。
【課題を解決するための手段】
【０００６】
本発明は上記目的を達成するために、以下の技術的手段を採用する。
【０００７】
請求項１に記載の発明では、導入管（１１２）から内部に導入される給湯水が外部の加熱手段（１２０）によって高温の湯に加熱され、この高温の湯を内部に貯える貯湯タンク（１１０）と、貯湯タンク（１１０）内の高温の湯を給湯部に導出する導出管（１１４）と、給湯部側で導入管（１１２）および導出管（１１４）の間を連通可能とする連通手段（１１５、１１６、１９０、１６０）と、加熱手段（１２０）、連通手段（１１５、１１６、１９０、１６０）を制御する制御装置（１３０）とを有する給湯装置において、貯湯タンク（１１０）は、横長形状を成して建物の床下に設置されるものであり、導入管（１１２）および導出管（１１４）の間で、貯湯タンク（１１０）をバイパスするバイパス管（１４０）と、導入管（１１２）からの給湯水の流れを貯湯タンク（１１０）側あるいはバイパス管（１４０）側のいずれかに切替える切替え手段（１５１、１５２）と、導入管（１１２）、バイパス管（１４０）、導出管（１１４）、連通手段（１１５、１１６、１９０、１６０）によって環状に形成されるバイパス回路（１４０ａ）内に配設されるポンプ（１６０）と、給湯水の温度を検出する温度検出手段（１７１）とを設け、制御装置（１３０）は、給湯部が使用されていない時で、且つ、温度検出手段（１７１）によって検出される給湯水の温度が、予め定めた所定温度より低い時に、切替え手段（１５１、１５２）をバイパス管（１４０）側に切替え、連通手段（１１５、１１６、１９０、１６０）を連通状態にすると共に、ポンプ（１６０）を作動させて、バイパス回路（１４０ａ）内で給湯水を循環させるバイパス回路循環モードを実行することを特徴としている。
【０００８】
これにより、貯湯タンク（１１０）を建物の床下に設ける場合でも、貯湯タンク（１１０）から給湯部に繋がる配管部、即ち、バイパス回路（１４０ａ）内における給湯水が寒冷時において凍結するのを防止することができる。尚、この時循環する給湯水は、貯湯タンク（１１０）をバイパスして流れるので、貯湯タンク（１１０）内の湯の温度を低下させることが無い。
【０００９】
そして、請求項２に記載の発明のように、連通手段（１１５、１１６、１９０、１６０）は、導入管（１１２）から分岐して導出管（１１４）に接続される給水管（１１５）と、導出管（１１４）および給水管（１１５）の接続部に設けられ、高温の湯および給湯水の混合割合を調節する混合弁（１１６）とから成るようにして、制御装置（１３０）によって、バイパス回路循環モード実行時に、混合弁（１１６）の弁開度を調節することで、給水管（１１５）を介して導入管（１１２）および導出管（１１４）の間を連通状態とすることで具体的な対応が可能となる。
【００１０】
更に、請求項３に記載の発明のように、制御装置（１３０）は、バイパス回路循環モード実行時に、導出管（１１４）と給水管（１１５）との間の通水抵抗が最小となるように混合弁（１１６）の弁開度を調節すると良く、これにより、バイパス回路（１４０ａ）内を循環する給湯水の通水抵抗を低減することができるので、ポンプ（１６０）の動力を低減することができる。
【００１１】
また、請求項４に記載の発明のように、給湯部は浴槽（１８０）に給湯するものであり、導入管（１１２）から分岐して導出管（１１４）に接続される給水管（１１５）をバイパスする給水バイパス管（１９０）と、給水バイパス管（１９０）に設けられ、高温の湯と浴槽（１８０）内の残湯との間で熱交換して、残湯を加熱する熱交換器（２００）とを有し、ポンプ（１６０）は、給水バイパス管（１９０）に配設され、連通手段（１１５、１１６、１９０、１６０）は、給水バイパス管（１９０）とポンプ（１６０）とから成るようにしても良い。
【００１２】
これにより、切替え手段（１５１、１５２）をバイパス管（１４０）側に切替えてポンプ（１６０）を作動させることで、導入管（１１２）と導出管（１１４）との間が給水バイパス管（１９０）によって連通し、バイパス回路（１４０ａ）内で給湯水を循環させることができるので、上記請求項１に記載の発明と同様に給湯水の凍結防止が可能となる。また、切替え手段（１５１、１５２）を貯湯タンク（１１０）側に切替えてポンプ（１６０）を作動させてやれば、給水バイパス管（１９０）に高温の湯が流れ、熱交換器（２００）によって浴槽（１８０）内の残湯の追焚きが可能となり、１つのポンプ（１６０）で上記２つの機能を持たすことができるので、安価な給湯装置（１００）とすることができる。
【００１３】
尚、請求項５に記載の発明のように、加熱手段（１２０）としては、高温高圧に圧縮された冷媒からの放熱作用を用いたヒートポンプユニット（１２０）を用いて好適である。
【００１４】
そして、請求項６に記載の発明のように、ヒートポンプユニット（１２０）の冷媒を二酸化炭素とすれば、超臨界域を用いることで給湯水を加熱する冷媒の温度を高くすることができ、高温の湯を効率良く沸き上げることが可能となる。
【００１５】
尚、上記各手段に付した括弧内の符号は、後述する実施形態記載の具体的手段との対応関係を示す。
【発明を実施するための最良の形態】
【００１６】
（第１実施形態）
以下、本発明の第１実施形態を図１、図２に基づいて説明する。図１は第１実施形態における給湯装置１００の概略構成を示す模式図である。
【００１７】
給湯装置１００は、ヒートポンプユニット１２０によって加熱された高温の湯を貯める貯湯タンク１１０を有し、蛇口、シャワー、風呂等の給湯部へ給湯を行う装置である。
【００１８】
貯湯タンク１１０は、耐食性に優れた金属製（例えばステンレス製）のタンクであり、外周部に図示しない断熱材が配置されており、高温の湯を長時間に渡って保温することができるようにしている。この貯湯タンク１１０は、横長形状を成して建物の床下に配置されるようにしており、設置場所を有効に活用できるようにしている。
【００１９】
そして、貯湯タンク１１０の底面には導入口１１１が設けられ、この導入口１１１には貯湯タンク１１０内の下側部に給湯水（水道水）を導入する導入管１１２が接続されている。尚、導入管１１２の上流側には、逆流を阻止する給水用逆止弁付き減圧弁１１２ａが設けられている。
【００２０】
一方、貯湯タンク１１０の上面には導出口１１３が設けられ、導出口１１３には貯湯タンク１１０内の高温の湯を導出するための導出管１１４が接続されている。そして、導出管１１４の出口側は蛇口、シャワー、風呂等の給湯部へ接続されている。
【００２１】
また、導出管１１４には、導入管１１２の給水用逆止弁付き減圧弁１１２ａ下流側から分岐する給水管１１５が接続されており、導出管１１４および給水管１１５の接続部には混合弁１１６が配設されている。この給水管１１５および混合弁１１６は、本発明における連通手段に対応する。
【００２２】
混合弁１１６は導出管１１４および給水管１１５の開口面積比を調節することにより（例えば、導出管１１４を７０％、給水管１１５を３０％と言った具合である）、導出管１１４からの高温の湯と給水管１１５からの水道水との混合比を調節できるようにしている。
【００２３】
尚、混合弁１１６はサーボモータ等の駆動源により弁体を駆動して上記のように導出管１１４および給水管１１５の開口面積比を調節する電動弁であり、後述する制御装置１３０からの制御信号により作動すると共に、作動状態を制御装置１３０に出力するようにしている。
【００２４】
貯湯タンク１１０の底面には、貯湯タンク１１０内の下側部の給湯水を吐出するための吐出口１１７が設けられ、貯湯タンク１１０の上面には、貯湯タンク１１０内の給湯水の上側部に湯を吸入する（貯える）吸入口１１８が設けられている。吐出口１１７と吸入口１１８とはヒートポンプ循環回路１１９で接続されており、ヒートポンプ循環回路１１９の一部はヒートポンプユニット（本発明の加熱手段に対応）１２０内に配置されている。
【００２５】
ヒートポンプユニット１２０は、周知のヒートポンプサイクルを形成するものであり、ここでは冷媒として二酸化炭素を用いて、冷媒を臨界圧力以上に圧縮するようにしている。ヒートポンプ循環回路１１９のヒートポンプユニット１２０内に配置された部分には、図示しない熱交換器が設けられており、吐出口１１７から吐出された貯湯タンク１１０内の給湯水を高温に圧縮された冷媒との熱交換により加熱し、吸入口１１８から貯湯タンク１１０内に戻すことにより貯湯タンク１１０内の給湯水を沸き上げる（高温の湯とする）ことができるようにしている。
【００２６】
本実施形態のように、ヒートポンプユニット１２０において超臨界域を用いることで図示しない圧縮機からの冷媒吐出温度を高くすることができる。従って、フロン系冷媒等を採用した場合より高温の湯（例えば９０℃）を効率良く沸き上げることが可能である。尚、ヒートポンプユニット１２０は、後述する制御装置１３０からの制御信号により作動すると共に、作動状態を制御装置１３０に出力するようにしている。
【００２７】
そして、本発明においては導入管１１２および導出管１１４の間に、貯湯タンク１１０をバイパスするバイパス管１４０を設けるようにしている。導入管１１２とバイパス管１４０との接続部には、給湯水の流れを貯湯タンク１１０側あるいはバイパス管１４０側のいずれかに切替える三方弁１５１が設けられ、この三方弁１５１は、後述する制御装置１３０からの制御信号により切替え方向が制御されるようにしている。そして、三方弁１５１の切替え方向は制御装置１３０に出力されるようにしている。
【００２８】
また、貯湯タンク１１０の導出口１１３と、導出管１１４およびバイパス管１４０の接続部との間には、高温の湯が貯湯タンク１１０側に逆流するのを阻止する逆止弁１５２が設けられている。尚、三方弁１５１および逆止弁１５２は、本発明における切替え手段に対応する。
【００２９】
また、導入管１１２の給水用逆止弁付き減圧弁１１２ａと三方弁１５１との間には、導入管１１２、三方弁１５１、バイパス管１４０、導出管１１４、混合弁１１６、吸入管１１５によって環状に形成されるバイパス回路１４０ａ内に給湯水を循環させるポンプ１６０が設けられている。
【００３０】
ポンプ１６０は、回転数可変式のポンプとしており、後述する制御装置１３０からの制御信号によってバイパス回路１４０ａ内の循環流量を可変可能として作動すると共に、作動状態を制御装置１３０に出力するようにしている。
【００３１】
更に、導入管１１２の給水用逆止弁付き減圧弁１１２ａとポンプ１６０との間には、給湯水の温度を検出する水温センサ（本発明の温度検出手段に対応）１７１が設けられ、後述する制御装置１３０に、検出信号（給湯水温度）を出力するようにしている。
【００３２】
制御装置１３０は、ユーザが給湯リモコン（図示せず）に入力する給湯スイッチ信号、給湯設定温度信号等に基づいて、通常制御として混合弁１１６、ヒートポンプユニット１２０の作動を制御する共に、水温センサ１７１によって検出された給湯水温度に応じて、寒冷時の凍結防止制御として混合弁１１６、三方弁１５１、ポンプ１６０の作動を制御するようにしている。
【００３３】
尚、給湯リモコンは、浴室内や台所等の湯を使用する場所の近傍に設置されている。また、ヒートポンプユニット１２０および制御装置１３０、給水用逆止弁付き減圧弁１１２ａ、混合弁１１６、ポンプ１６０、水温センサ１７１等の機能品は建物外周の所定位置に隣接して設置され、メンテナンスが容易に行えるようにしている。
【００３４】
次に、上記構成に基づく給湯装置１００の作動を説明する。
【００３５】
まず、給湯装置１００の通常の作動（通常制御）につては、ユーザによって給湯リモコンの給湯スイッチがＯＮされている場合には、制御装置１３０は、主に電力料金の安価な深夜の時間帯（例えば、当日の２３時から翌日の７時）にヒートポンプユニット１２０を作動させ、貯湯タンク１１０内の給湯水を加熱して高温の湯として貯える。ユーザが蛇口、シャワー、風呂等で湯を使用する場合は、給湯設定温度に応じて混合弁１１６の弁開度を調節し、高温の湯と給湯水（水道水）とを混合して導出管１１４の出口側から出湯する。
【００３６】
尚、貯湯タンク１１０内の高温の湯が所定量以下になると、深夜の時間帯外でもヒートポンプユニット１２０を作動させ、湯の沸き増しを行う。
【００３７】
そして、本発明においては特に寒冷時において、床下に設けられた貯湯タンク１１０から給湯部側に繋がる導入管１１２、導出管１１４、吸入管１１５等での凍結を防止するための制御（寒冷時の凍結防止制御）に特徴を持たせており、以下、図２に示す制御フローチャートを用いて説明する。
【００３８】
まず、ステップＳ１００で給湯部が使用されているか否かを判定し、使用されていると判定すれば、ステップＳ１１０に進み、上記で説明した通常制御を実行する。
【００３９】
しかし、ステップＳ１００で否と判定した場合は、ステップＳ１２０で水温センサ１７１によって得られる給湯水温度が予め定めた所定温度以下か否かを判定する。ここで所定温度というのは、給湯水が凍結に至るおそれのある温度としており、具体的には３℃としている。
【００４０】
ステップＳ１２０で給湯水温度が所定温度以下であると判定すると、ステップＳ１３０に進み、給湯水の凍結防止制御を行う。尚、ステップＳ１２０で否と判定すれば、ステップＳ１００に戻り、上記の制御を繰り返す。
【００４１】
ステップＳ１３０における凍結防止制御というのは、三方弁１５１によって導入管１１２における給湯水の流れがバイパス管１４０側に成るようにし、混合弁１１６の開口面積比が導出管１１４、吸入管１１５共に５０対５０と成るようにする。そして、ポンプ１６０を作動させるものである。この時給湯水は、図１中の破線矢印で示すように、バイパス回路１４０ａ内を循環する（本発明におけるバイパス回路循環モードに対応）。
【００４２】
以上の構成説明および作動説明より、本発明においては給湯部が使用されていない時で、且つ、水温センサ１７１によって検出される給湯水の温度が、予め定めた所定温度より低い時に、三方弁１５１をバイパス管１４０側に切替えると共に、給湯水がバイパス回路１４０ａ内を循環するように混合弁１１６およびポンプ１６０を作動させるようにしているので、貯湯タンク１１０を建物の床下に設ける場合でも、貯湯タンク１１０から給湯部に繋がる配管部、即ち、バイパス回路１４０ａ内における給湯水が寒冷時において凍結するのを防止することができる。尚、この時循環する給湯水は、貯湯タンク１１０をバイパスして流れるので、貯湯タンク１１０内の湯の温度を低下させることが無い。
【００４３】
また、バイパス回路１４０ａ内で給湯水を循環させる時には、混合弁１１６の開口面積比が５０対５０と成るようにしているので、混合弁１１６における通水抵抗を最小にして、ポンプ１６０の動力を低減することができる。
【００４４】
（第２実施形態）
本発明の第２実施形態を図３に示す。第２実施形態は、上記第１実施形態に対して、浴槽１８０内に給湯すると共に、この浴槽１８０内の残湯の追焚き機能を有する給湯装置１００に適用したものとしている。
【００４５】
混合弁１１６の下流側は浴槽１８０に接続されており、浴槽１８０への給湯を可能としている。そして、浴槽１８０には、浴槽ポンプ１８２によって浴槽１８０内の残湯が外部を循環する浴槽循環回路１８１が設けられている。
【００４６】
また、導入管１１２および導出管１１４の間には、給水管１１５をバイパスする給水バイパス管１９０が設けられ、この給水バイパス管１９０には、熱交換器２００を配設している。そして、熱交換器２００には浴槽循環回路１８１の一部が流通するようにしている。更に、給水バイパス管１９０にポンプ１６０を配設するようにしている。尚、本発明の第２実施形態においては、導入管１１２、三方弁１５１、バイパス管１４０、導出管１１４、給水バイパス管１９０によって環状に形成される回路がバイパス回路１４０ａと成り、給水バイパス管１９０とポンプ１６０は連通手段に対応する。
【００４７】
尚、ここでは給水管１１５と混合弁１１６に対して並列となるように給水管１１５ａと混合弁１１６ａを設けており、混合弁１１６ａからは他の給湯部として蛇口やシャワー等に繋がるようにしている。
【００４８】
この第２実施形態においては、寒冷時の凍結防止制御として、三方弁１５１をバイパス管１４０側に切替え、ポンプ１６０を作動させることで、導入管１１２と導出管１１４との間が給水バイパス管１９０によって連通し、バイパス回路１４０ａ内で給湯水を循環させることができるので、上記第１実施形態と同様に、バイパス回路１４０ａにおける凍結を防止することができる。
【００４９】
また、通常制御において、浴槽１８０内の残湯を追焚きする際には、三方弁１５１を貯湯タンク１１０側に切替え、ポンプ１６０を作動させることで給水バイパス管１９０に貯湯タンク１１０からの高温の湯を流すことができ、また、浴槽ポンプ１８２を作動させることで浴槽循環回路１８１に浴槽１８０内の残湯を循環させ、熱交換器２００によって、高温の湯と残湯との間で熱交換して、残湯を加熱（追焚き）することができる。
【００５０】
このように、１つのポンプ１６０で上記２つの機能を持たすことができるので、安価な給湯装置１００とすることができる。
【００５１】
（その他の実施形態）
上記第１、第２実施形態では、給湯水を加熱する加熱手段として、二酸化炭素を冷媒とするヒートポンプユニット１２０を用いるものとしたが、これに限らず、フロン系冷媒（Ｒ４１０等）を用いるものとしても良い。また、加熱手段としてヒートポンプユニット１２０に限らず、電気ヒータ等としても良い。
【００５２】
また、給湯水の温度を検出する温度検出手段として、水温センサ１７１を用いるようにしたが、これに代えて、外気温度を検出する外気温センサとしても良く、外気温度から給湯水温度を推定するようにして寒冷時の凍結防止制御を行うようにしても良い。
【図面の簡単な説明】
【００５３】
【図１】本発明の第１実施形態における給湯装置の概略構成を示す模式図である。
【図２】給湯装置の寒冷時凍結防止のための制御フローを示すフローチャートである。
【図３】本発明の第２実施形態における給湯装置の概略構成を示す模式図である。
【符号の説明】
【００５４】
１００  給湯装置
１１０  貯湯タンク
１１２  導入管
１１４  導出管
１１５  給水管（連通手段）
１１６  混合弁（連通手段）
１２０  ヒートポンプユニット（加熱手段）
１３０  制御装置
１４０  バイパス管
１４０ａ  バイパス回路
１５１  三方弁（切替え手段）
１５２  逆止弁（切替え手段）
１６０  ポンプ（連通手段）
１７１  水温センサ（温度検出手段）
１８０  浴槽
１９０  給水バイパス管（連通手段）
【図１】
2005147557.tif 000003
【図２】
2005147557.tif 000004
【図３】
2005147557.tif 000005